【事件の表示】
　　平成７年　商標登録願　第１２３９２５号拒絶査定に対する審判事件について、次のとおり審決する。
【結論】
　　本件審判の請求は、成り立たない。
【理由】
１．本願商標
　本願商標は、「ＣＯＯＬ　＆　ＣＯＭＦＯＲＴ」の欧文字を横書きしてなり、第２５類「被服，ズボンつり，バンド，ベルト，履物，運動用特殊衣服，運動用特殊靴」を指定商品として、平成７年１２月１日に登録出願されたものである。
２．原査定の理由
　原査定は、「本願商標は、『ＣＯＯＬ＆ＣＯＭＦＯＲＴ』の各文字及び記号よりなるところ、その構成中の『ＣＯＯＬ』の文字部分は『涼しい』の意味を有する英語であり、『ＣＯＭＦＯＲＴ』の文字部分は『安楽、気楽』の意味を有する英語であっていずれも広く親しまれたものであるから、これをその指定商品に使用するときは、需要者にその商品が涼しく着心地又は履心地が良いこと等を認識させるにとどまり、自他商品の識別力を有せず、単に商品の品質を表示するにすぎない。したがって、本願商標は、商標法第３条第１項第３号に該当する。」と認定し、本願を拒絶した。
３．当審の判断
（１）株式会社繊研新聞社（東京都中央区在）が発行する「繊研新聞」に、「クール」及び「コンフォート」の語を用いた記事が、例えば次のように掲載されている。
ア．「クール」の語を用いた記事
▲１▼　１９９９年１月４日付けの「【新年号　９９年春夏の売れそうアイテム】　フロアレングススカート−１」をタイトルとする記事中に、「白がクールでかっこいい（中略）今年は甘くてべたっとした感じではなく、すかっとしてクールなかっこよさが求められています。そんな傾向にぴったりの白です。」との記載。
▲２▼　１９９８年５月９日付けの「９８〜９９年秋冬レディストレンドチェック　グレーが圧倒、赤もきらり」をタイトルとする記事中に、「あったか生地も売れそうだ。（中略）ファーへの注目度も高い。（中略）これらのあったか生地は、どれもシックにクールにデザインしてあるのが特徴。トレンドテーマのひとつ、『クール・アンド・ウオーム』がうけているのでも分かる。」との記載。
▲３▼　１９９８年５月７日付けの「【ウイメンズアイ】　９８年秋冬婦人服プレビュー−２」をタイトルとする記事中に、「靴　あったか素材主流、クールに着こなすスタイルで　上質な温か素材をクールに着こなすスタイルが靴にも影響を与えている。（中略）丈は昨年と同じ五〜七分が多いが、クールでモダンなくるぶし丈、・・・」との記載。
▲４▼　１９９８年４月１０日付けの「＜９８年秋冬東京コレクション速報＞　グレーさまざま」をタイトルとする記事中に、「とくに目立つのは、モヘアや縮じゅうウールなど暖かな生地にラメやビーズなど冷たい輝きの素材を組み合わせた『クール・アンド・ウオーム』のテクニック。」との記載。
▲５▼　１９９８年２月２５日付けの「９８年秋冬ロンドンコレクション　シャープな仕立て増える」をタイトルとする記事中に、「ボーイッシュなウール地とビースの刺しゅうをのせた透ける素材を組み合わせて見せるクールなカジュアルウエアをデザインした。（中略）ファートリミングのベストやふわふわモヘアのラッピングドレスまで、すべてクールなグレーが基調。」との記載。
▲６▼　１９９７年９月１９日付けの「レナウン　機能と快適さテーマ、９８年春夏メンズスポーツ」をタイトルとする記事中に、「『素材の持つ機能や特性から生み出される快適さ』を切り口に、クール、ドライ、ライト、ソフト、ストレッチなどの素材感を各ブランドで取り入れる。」との記載。
イ．「コンフォート」の語を用いた記事
▲１▼　１９９９年４月１３日付けの「瀧定の来春夏向け紳士服地　４テーマで快適表現、心地良さなど提案」をタイトルとする記事中に、「瀧定名古屋店紳士服地部門は、シンプルでコンフォータブルな志向の高まりに向けて、二〇〇〇年春夏物は四つのテーマで『コンフォート』を提案、心地良さと高度な満足感を表現する。」との記載。
▲２▼　１９９９年１月２９日付けの「【メンズリポート・トピックス】９８年１２月１８日〜９９年１月２２日」をタイトルとする記事中に、「９９〜２０００年秋冬ミラノメンズコレ　コンフォートでふわっとした素材　９９〜２０００年秋冬のミラノメンズコレクションは、ナチュラル、コンフォート（着心地の良さ）、ラグジュアリーといった前シーズンの流れを引き継いだ形で立ち上がった。」との記載。
▲３▼　１９９９年１月２２日付けの「テキスポ・ナゴヤ・コンベンション　９９年秋冬は新バランス、より薄く・軽さ提案」をタイトルとする記事中に、「二月五日、名古屋の国際デザインセンター（ナディアパーク）で一千点の生地を紹介する。全体の傾向は『より軽く、薄く、コンフォータブル』。（中略）次の三つのテーマで全体を区分けしている。（１）『ファンクション』（機能性や保護感）（略）（２）『コンフォート』（心地良さやリラックス）（略）（３）『トラディション』（伝統的、クラシック素材）（略）。」との記載。
▲４▼　１９９８年２月２４日付けの「【フットウエア】　スポーツシューズメーカー　市況低迷で今期販売計画は抑制」をタイトルとする記事中に、「一方、こうしたトレンドの変化とは一線を画し、安定した売れ行きを示しているのが、コンフォートシューズ。ひと口にコンフォートといっても、その定義はメーカーによって違うが（１）衝撃吸収性・屈曲性（２）足入れの良さと履きごこち（３）防カビ・防臭性（４）はっ水・防汚性（５）蒸れない（６）フィット性−などが上げられる。（中略）コンフォート機能スニーカーに照準（中略）コンフォートに求められる機能としては、（中略）コンフォートについては革靴分野でも注目されているが、スニーカーは以外に穴だ。」との記載。
▲５▼　１９９８年１月１７日付けの「９８〜９９年秋冬ミラノ・メンズコレクション　縮絨タッチの杢グレー広がる」をタイトルとする記事中に、「メルトンやフランネル、フェルトといったあったか素材でも決して重厚ではなく「薄く軽い」のが今シーズンのポイントだ。その背景にはコンフォート（着心地の良さ）というキーワードがある。」との記載。
▲６▼　１９９７年９月５日付けの「ＩＷＳ来秋冬ウールニットヤーン展　自由な組み合わせ提案、着心地の良さを重視」をタイトルとする記事中に、「『九八〜九九年秋冬ウールニットヤーン展』では『究極の着心地よさ（コンフォート）』を基本にして、ファッション性と扱いやすい機能を持ったメリノエクストラファイン、ウール・プラス・オペロン、マシンウオッシャブルなど、ニットウエアのサブブランド素材を中心に紹介する。」との記載。
（２）これらの記載よりすれば、被服、履物等本願指定商品や織物を取り扱う業界において、「クール」の文字は、商品が涼しいもの、クールなものであることを表すものとして、また、「コンフォート」の文字は、商品が着心地よい、履き心地よいものであることをそれぞれ表すものとして使用されているものであって、かつ、いずれの語も、需要者に同様の意味を表す商品の品質を表示するものとして理解されているものと判断するのが相当である。
（３）そして、上述の「繊研新聞」に、被服、履物等の商品の品質、機能を表示するものと認められる二語を「アンド」又は「＆」を介して、「○○○アンド○○○」又は「○○○＆○○○」のように表した記事が、例えば次のように　掲載されている。
▲１▼　１９９８年５月１８日付けの「注目　スニーカー＋革靴→合体靴　靴もシンプルであったかく」をタイトルとする記事中に、「メンズコレクションのトレンドテーマの一つ『ライト＆コンフォート』やレディスの『クール＆ウオーム』など、秋冬のキーワードとして登場しているシンプルであったかいイメージが靴にも広がっている。」との記載。
▲２▼　１９９８年４月２８日付けの「フェルトが増えるふわふわ、もこもこのあったか生地」をタイトルとする記事中に、「パリ、ミラノメンズコレクションのトレンドの一つとして注目される『ライト・アンド・コンフォート』。」との記載。
▲３▼　１９９８年４月６日付けの「９８〜９９年秋冬コレクション　クール＆ウオーム」をタイトルとする記事中に、「バルマンの肉厚ツイードスーツはスパンコールやラメ糸でクールな光りをのせている。いずれもあったか生地をすっきりとシックに収めたクール・アンド・ウオームな仕上がりだ。」との記載。
▲４▼　１９９８年４月１日付けの「東レ、帝人　９９年春夏総合素材展を展開、合繊独自の機能性を提案」をタイトルとする記事中に、「両者が展開する『Ｔ−４０コーナー』は『ナチュラル＆コンフォート』がテーマ。」との記載。
▲５▼　１９９８年２月１２日付けの「ミズノのゴルフウェア『グランドモナーク』　新機能素材拡充、防寒を中心に」をタイトルとする記事中に、「（１）軽量性・吸水・撥水（はっすい）・保温機能の綿素材『ライト・アンド・ウォーム』のシャツ」との記載。
▲６▼　１９９７年８月７日付けの「東レの糸・テキスタイル輸出　４〜６月は１０％増、南通からは３倍に」をタイトルとする記事中に、「ミフティは商品に『クール・アンド・ドライ』の説明タグをつけ、特殊素材を訴えながら販売しているが、今後はブラウスのほかにランジェリーやアウター全般に用途を広げ、大型素材に育てていく。」との記載。
▲７▼　１９９７年５月１９日付けの「東邦レーヨンの来春夏ニット　４ブランド重点に明るい色で内容一新」をタイトルとする記事中に、「東邦レーヨンは九八年春夏ニット素材提案で、『フィット・アンド・ドライ』をテーマに四つの重点ブランドを打ち出した。」との記載。
（４）上記（３）の記載よりすれば、被服、履物等本願指定商品や織物を取り扱う業界において、商品の品質を表示するものと認められる二語を「アンド」又は「＆」を介して「○○○アンド○○○」又は「○○○＆○○○」と表わした文字は、商品が有する二つの特徴的な品質、機能を表示するものとして使用されているものであって、かつ、需要者にも同様の意味を表示したものと理解されていると判断するのが相当である。
（５）そして、本願商標は、「ＣＯＯＬ＆ＣＯＭＦＯＲＴ」の欧文字を普通に用いられる方法で書してなるものであり、本願の指定商品を取り扱う業界及び我が国の一般における英語の普及程度よりすれば、これに接する取引者、需要者は、「ＣＯＯＬ＆ＣＯＭＦＯＲＴ」の文字をクール＆（アンド）コンフオート」の文字と同義のものと容易に理解するものと判断するのが相当である。
　そうとすれば、本願商標は、これをその指定品について使用するときは、これに接する取引者・需要者は、上述の事情よりして、「ＣＯＯＬ＆ＣＯＭＦＯＲＴ」の文字を、その商品が「クールで着心地又は履き心地よいもの」であるという商品の品質を表示したものと認識するにすぎないものと言うべきである。
　なお、請求人は、過去の審査例、審決例をあげて、本願商標は自他商品の識別標識としての機能を有している旨主張し、甲第１号証乃至甲第３７号証を提出しているが、自他商品の識別標識としての機能の有無は、判断時の社会通念に応じて判断されるべきものであり、また、提出された事例は本件と事案を異にするものであるから、この主張は採用できない。
　してみれば、本願商標は、これをその指定商品について使用しても、単に商品の品質を表示するにすぎず、自他商品の識別標識としての機能を果たさないものといわざるを得ない。
　したがって、この判断と同様の趣旨で、本願商標は商標法第３条第１項第３号に該当するとして本願を拒絶した原査定は、妥当であってこれを取り消すことはできない。
　よって、結論のとおり審決する。